(57)【要約】      （修正有）【課題】乾式壁部材相互間の縦目地あるいはコーナー目地を繋ぐ縦目地化粧材、コーナー目地化粧材等の表面を、風化した風合いのアンティーク調に塗装して製造する方法を提供する。【解決手段】プレコートコイル１０から縦目地材、コーナー目地材等に所望される大きさ、形状の平板素材１１を裁断し、プレスによるブランク抜きを行った後、その表面側にスクリーン塗装法による複数色の重ね塗り塗装を行うに当たり、最終のスクリーン塗装は、スキージースクリーンの印刷面の所定部位の網目を潰す網点マスク法を行った塗装を行い、その後プレス加工による成形と組み立て工程を経て縦目地化粧材、コーナー目地化粧材等を完成する。【選択図】図１
2005023778.tif 000002
【特許請求の範囲】
【請求項１】
つや消し材を混入した塗料によるロール塗装法により表面を風化した風合いのアンティーク調に塗装した乾式壁部材を施工した際の縦目地あるいはコーナー目地の繋ぎに使用される縦目地化粧材、コーナー目地化粧材等の表面を同じくアンティーク調に塗装して製造する方法であって、
プレコートコイルから縦目地材、コーナー目地材等に所望される大きさ、形状の平板素材を裁断し、プレスによるブランク抜きを行った後、その表面側にスクリーン塗装法による複数色の重ね塗り塗装を行うに当たり、最終のスクリーン塗装は、スキージースクリーンの印刷面の所定部位の網目を潰す網点マスク法を行った塗装を行い、その後プレス加工によるブランク抜き材の成形と組み立て工程を経て縦目地化粧材、コーナー目地化粧材等を完成することを特徴とする、アンティーク調縦目地化粧材、コーナー目地化粧材等の製造方法。
【請求項２】
つや消し材を混入した塗料によるロール塗装法により表面を風化した風合いのアンティーク調に塗装した乾式壁部材を施工した際の縦目地あるいはコーナー目地の繋ぎに使用される縦目地化粧材、コーナー目地化粧材等の表面を同じくアンティーク調に塗装して製造する方法であって、
プレコートコイルから縦目地材、コーナー目地材等に所望される大きさ、形状の平板素材を裁断し、プレスによるブランク抜きを行った後、その表面側にスクリーン塗装法による複数色の重ね塗り塗装を行うに当たり、最終のスクリーン塗装は、スキージースクリーンの印刷面の所定部位の網目を潰す網点マスク法を行った塗装を行い、次のプレス加工によるブランク抜き材の成形においてレンガ積みの目地に相当する部分１３及びレンガの風化状態を表現する模様部分２０を細溝状に凹ませる絞り加工を行い、その後の組み立て工程を経て縦目地化粧材、コーナー目地化粧材等を完成することを特徴とする、アンティーク調縦目地化粧材、コーナー目地化粧材等の製造方法。
【請求項３】
スキージースクリーンの印刷面に行う所定部位の網目を潰す網点マスク法は、先行してアンティーク調に塗装された乾式壁部材の写真撮影を行い、同写真に現れたつや消し材の白黒判定を基にエッチング加工して行うことを特徴とする、請求項１又は２に記載したアンティーク調縦目地化粧材、コーナー目地化粧材等の製造方法。
【請求項４】
プレス加工による成形においてレンガ積みの目地に相当する部分１３及びレンガの風化状態を表現する模様部分２０を細溝状に凹ませる絞り加工を行う手段として、先のスクリーン塗装法による複数色の重ね塗り塗装の結果を写真撮影し、同写真に現れたレンガ積みの目地に相当する部分１３及びレンガの風化状態を表現する模様部分２０をエッチング加工法により模写した原版を作り、この原版に倣ってプレス成形金型の凹凸加工を行い、こうして製作したプレス成形金型によりブランク抜き材の成形加工と絞り加工を行うことを特徴とする、請求項１又は２に記載したアンティーク調縦目地化粧材、コーナー目地化粧材等の製造方法。
【発明の詳細な説明】
【技術分野】
【０００１】
この発明は、つや消し材を混入した塗料により表面を風化した（又は枯れた）風合いのアンティーク調に塗装した乾式壁部材、或いはレンガ積みの目地に相当する部分のみならずレンガの風化状態を表現する模様部分までも細溝状に凹ませる絞り加工を行った乾式壁部材で建物の外壁面を施工する際に必ず発生する、乾式壁部材相互間の縦目地あるいはコーナー目地を繋ぐ部品として使用される縦目地化粧材、コーナー目地化粧材等の表面を、同じく風化した風合いのアンティーク調に塗装し、更にはレンガ積みの目地に相当する部分のみならずレンガの風化状態を表現する模様部分も細溝状に凹ませる絞り加工を行って見た目の立体感を表現して製造する方法の技術分野に属する。
【背景技術】
【０００２】
表面材を鋼板又はアルミ合金板とし、その裏面側に断熱材として硬質ウレタンフォーム等を貼り合わせ又は一体成形してなる乾式壁部材は、例えば下記する特許文献１、２などに開示されて広く公知に属し、実用にも供されている。
上記のような乾式壁部材を用いて建物の外壁面を施工する乾式壁工法の実施で最も重視されるのは、意匠性に優れた仕上がりである。そこで最近では、目地を細溝状に深絞り加工した表面に風化したレンガを表現した、レンガ柄のアンティーク調化粧で塗装した乾式壁部材が広く採用されている（非特許文献１）。その一例を図３に示した。図中の符号１が乾式壁部材を指す。
【０００３】
【特許文献１】特開２０００−３２８７６０号公報
【特許文献２】特公平３−７９５０５号公報
【非特許文献１】本出願人が２００３年３月に発行した製品カタログ「美彩シリーズ」
【０００４】
ところで、上記乾式壁部材１を用いて建物の外壁面を施工する乾式壁工法においては、図３に例示したように、貼り付けた乾式壁部材１、１の相互間に縦目地あるいはコーナー目地が必ず発生する。そこで予め部品として用意した縦目地化粧材２、或いはコーナー目地化粧材３等で前記の目地を繋ぐことは必要不可欠の施工条件として行われている。なお、図３では便宜上、縦目地化粧材２及びコーナー目地化粧材３の形状線を強調して表現している。図４に縦目地化粧材２を、図５にはコーナー目地化粧材３をそれぞれ単独で例示した。これらの図から明らかなように、縦目地化粧材２及びコーナー目地化粧材３の表面にも、乾式壁部材１の表面に表現した風化したレンガ柄のアンティーク調化粧と共通なレンガ柄のアンティーク調化粧の塗装１４又は１８と、レンガの目地を表現する細溝状の深絞り加工９とが施されている。
【０００５】
図６には、縦目地化粧材２の取り付け構造を示した。建物の柱４の外面に樹脂製の受け材５を先に固定して設け、その両側へ乾式壁部材１、１を設置する。その後、縦目地部（隙間）へ縦目地化粧材２を押し込み、その突起片６の歯部を受け材５の受け歯部５ａへ噛み合わせて固定する。
図７には、コーナー目地化粧材３の取り付け構造を示した。やはり建物のコーナー部柱４’の外隅部へ樹脂製の受け材７を先に固定して設け、その両側へ乾式壁部材１、１を設置する。その後、コーナー目地部（隙間）へコーナー目地化粧材３を押し込み、その突起片８の歯部を受け材７の受け歯部７ａへ噛み合わせて固定するのである。
【発明の開示】
【発明が解決しようとする課題】
【０００６】
乾式壁部材の表面は、つや消し材を混入した塗料によるロール塗装法により、表面を風化した風合いのアンティーク調に見事に塗装できる。しかし、縦目地化粧材２やコーナー目地化粧材３は、板の幅寸が２０mm程度からせいぜい７０mm程度の細幅材であるから、その表面をロール塗装法により塗装することはできず、通例は１枚ずつスクリーン塗装法で同じアンティーク調に塗装している。
しかしながら、スクリーン塗装法では、塗料につや消し材を混入しても、つや消し効果が現れず、同じアンティーク調に塗装できない。その結果、縦目地化粧材やコーナー目地化粧材の塗装表面には、むしろ光沢が有るようにさえ見える。そのため建物の外壁に施工した場合には、乾式壁部材１が風化した風合いのアンティーク調であるが故に、縦目地化粧材２やコーナー目地化粧材３の光沢がある塗装表面が目立ち、せっかくの風化した風合いのアンティーク調の意匠的美観が損なわれるという悪評があり、問題になっている。そのため施工の現場で、縦目地化粧材やコーナー目地化粧材の塗装表面へ黒点による塗装を施すことさえ行われている。
【０００７】
次に、最近の乾式壁部材は、その表面のレンガ積みの目地に相当する部分を細溝状に凹ませる絞り加工を行うだけでなく、レンガの風化状態を表現する模様部分も細溝状に凹ませる絞り加工を行って見た目の立体感に溢れた意匠が工夫されている。よって、縦目地化粧材、コーナー目地化粧材等についても同様に、レンガの風化状態を表現する模様部分も細溝状に凹ませる絞り加工を行って意匠の一致と連続性を確保する必要がある。
【０００８】
本発明の目的は、スクリーン塗装法で塗装するしかない縦目地化粧材やコーナー目地化粧材の塗装表面を、乾式壁部材と同様の風化した風合いのアンティーク調に塗装して、建物の外壁に施工した場合に、乾式壁部材と意匠的美観を同化させて良好な仕上りが得られる、アンティーク調の縦目地化粧材、コーナー目地化粧材等を提供することである。
【０００９】
本発明の目的は、スキージースクリーンの印刷面の所定部位の網目を潰す網点マスク法を施した塗装を行い、アンティーク調の縦目地化粧材、コーナー目地化粧材等を製造する方法を提供することである。
本発明の更なる目的は、レンガ積みの目地に相当する部分のみならずレンガの風化状態を表現する模様部分も細溝状に凹ませる絞り加工を行って見た目の立体感を表現し又は強調して、同様に見た目の立体感に溢れた意匠に製作された乾式壁部材との意匠的な一致又は連続性を確保できる、アンティーク調の縦目地化粧材、コーナー目地化粧材等を提供することである。
【課題を解決するための手段】
【００１０】
上記の課題を解決するための手段として、請求項１に記載した発明に係る乾式壁部材用のアンティーク調縦目地化粧材、コーナー目地化粧材等の製造方法は、  つや消し材を混入した塗料によるロール塗装法により表面を風化した風合いのアンティーク調に塗装した乾式壁部材を施工した際の縦目地あるいはコーナー目地の繋ぎに使用される縦目地化粧材、コーナー目地化粧材等の表面を同じくアンティーク調に塗装して製造する方法であって、
プレコートコイルから縦目地材、コーナー目地材等に所望される大きさ、形状の平板素材を裁断し、プレスによるブランク抜きを行った後、その表面側にスクリーン塗装法による複数色の重ね塗り塗装を行うに当たり、最終のスクリーン塗装は、スキージースクリーンの印刷面の所定部位の網目を潰す網点マスク法を行った塗装を行い、その後プレス加工によるブランク抜き材の成形と組み立て工程を経て縦目地化粧材、コーナー目地化粧材等を完成することを特徴とする。
【００１１】
請求項２に記載した発明に係る乾式壁部材用のアンティーク調縦目地化粧材、コーナー目地化粧材等の製造方法は、
つや消し材を混入した塗料によるロール塗装法により表面を風化した風合いのアンティーク調に塗装した乾式壁部材を施工した際の縦目地あるいはコーナー目地の繋ぎに使用される縦目地化粧材、コーナー目地化粧材等の表面を同じくアンティーク調に塗装して製造する方法であって、
プレコートコイルから縦目地材、コーナー目地材等に所望される大きさ、形状の平板素材を裁断し、プレスによるブランク抜きを行った後、その表面側にスクリーン塗装法による複数色の重ね塗り塗装を行うに当たり、最終のスクリーン塗装は、スキージースクリーンの印刷面の所定部位の網目を潰す網点マスク法を行った塗装を行い、次のプレス加工によるブランク抜き材の成形においてレンガ積みの目地に相当する部分１３及びレンガの風化状態を表現する模様部分２０を細溝状に凹ませる絞り加工を行い、その後の組み立て工程を経て縦目地化粧材、コーナー目地化粧材等を完成することを特徴とする。
【００１２】
請求項３に記載した発明は、請求項１又は２に記載したアンティーク調縦目地化粧材、コーナー目地化粧材等の製造方法において、
スキージースクリーンの印刷面に行う所定部位の網目を潰す網点マスク法は、先行してアンティーク調に塗装された乾式壁部材の写真撮影を行い、同写真に現れたつや消し材の白黒判定を基にエッチング加工して行うことを特徴とする。
【００１３】
請求項４に記載した発明は、請求項１又は２に記載したアンティーク調縦目地化粧材、コーナー目地化粧材等の製造方法において、
プレス加工による成形においてレンガ積みの目地に相当する部分１３及びレンガの風化状態を表現する模様部分２０を細溝状に凹絞り加工を行う手段として、先のスクリーン塗装法による複数色の重ね塗り塗装の結果を写真撮影し、同写真に現れたレンガ積みの目地に相当する部分１３及びレンガの風化状態を表現する模様部分２０をエッチング加工法により模写した原版を作り、この原版に倣ってプレス成形金型の凹凸加工を行い、こうして製作したプレス成形金型によりブランク抜き材の成形加工と絞り加工を行うことを特徴とする。
【発明の効果】
【００１４】
請求項１、３に記載した発明に係るアンティーク調縦目地化粧材、コーナー目地化粧材等の製造方法によれば、スクリーン塗装法で塗装するしかない縦目地化粧材やコーナー目地化粧材等の塗装表面を、乾式壁部材と同様の風化した風合いのアンティーク調に塗装できるので、建物の外壁に施工した場合に、乾式壁部材と意匠的美観を同化させることができ、意匠性に優れた外壁施工を可能とする。
また、請求項２〜４に記載した発明に係るアンティーク調縦目地化粧材、コーナー目地化粧材等の製造方法によれば、レンガ積みの目地に相当する部分１３又は１７だけでなく、レンガの風化状態を表現する模様部分２０までも細溝状に凹ませる絞り加工を行うので、見た目の立体感に溢れた意匠を呈し、同様に成形加工された乾式壁部材の表面の意匠と一致して、風化したレンガの風合いと立体感に溢れた意匠が連続する外壁の施工に寄与するのである。
【発明を実施するための最良の形態】
【００１５】
プレコートコイルから縦目地材、コーナー目地材等に所望される大きさ、形状の平板素材を裁断し、プレスによるブランク抜きを行った後、その表面側にスクリーン塗装法による複数色の重ね塗り塗装を行うに当たり、最終のスクリーン塗装は、スキージースクリーンの印刷面の所定部位の網目を潰す網点マスク法を行った塗装を行う。次のプレス加工による成形において、レンガ積みの目地に相当する部分１３又は１７及びレンガの風化状態を表現する模様部分２０を細溝状に凹ませる絞り加工を行い、その後組み立て工程を経て縦目地化粧材、コーナー目地化粧材等を完成する。
【実施例１】
【００１６】
次に、請求項１〜４に記載した発明の実施形態を図面に基いて説明する。
先ず図１Ａ〜Ｄは、アンティーク調縦目地化粧材２の主要な製造工程を順に示している。
図１Ａは、原料材である、一例として濃いグレー色にコーティングされたプレコート鋼板コイル１０（又はプレコートアルミ合金板コイルである場合を含む。以下同じ。）を示し、同Ｂは前記鋼板コイル１０から縦目地化粧材２の製作に所望される大きさ、形状に裁断した平板素材１１を示す。
【００１７】
図１Ｃは、前記平板素材１１をプレス機械にかけてブランク抜き（縦目地化粧材２の展開状態への成形加工）を行った段階を示す。
図１Ｄは、上記ブランク抜き材１２の表面側に、スクリーン塗装法による複数色の重ね塗り塗装を行った段階を示す。具体的には、上記濃いグレー色（これが地色）のブランク抜き材１２の表面に、レンガ積みの目地に相当する部分１３及びレンガの風化状態（欠けなど）を表現する模様部分２０を除き、例えばブラウン色のスクリーン塗装を広範囲に行う。その上に、古びたレンガ色を表すベージュ色のスクリーン塗装を、前記ブラウン色の塗装面よりも一回り小さな範囲の柄模様１４を最終塗装として行う。従って、このベージュ色の塗装部分の周辺部には、前工程で塗装したブラウン色の塗装部分がレンガ積みの目地に相当する部分１３及びレンガの風化状態（欠けなど）を表現する模様部分２０を色違い模様として細幅の帯状又は線状に出現させる（露出する）。のみならず、ベージュ色の柄模様１４の範囲内（内部）にも、古びたレンガ（欠けなど）を思わせる筋状の色違い模様（いわゆる窯変模様）を、ブラウン色の塗装が露出する形に出現させる。
【００１８】
上記の二段階塗装を前提として、ベージュ色による最終のスクリーン塗装に際しては、印刷版を構成するスキージースクリーンの印刷面に、所定部位の網目を潰す網点マスク法を行った塗装を行い、先行のブラウン色の塗装を細かな散点状に露出させて風化した風合いのアンティーク調を表現する。
【００１９】
スキージースクリーンの印刷面について行う所定部位の網目を潰す網点マスク法は、具体的には、先行してロール塗装法によりつや消し材を用いてアンティーク調に塗装した乾式壁部材の写真撮影を行い、同写真に現れたつや消し材の白黒判定を基にスキージースクリーンの印刷面をエッチング加工した版を用いて、スクリーン印刷を行う（請求項３記載の発明）。
【００２０】
その後、上記の塗装を行ったブランク抜き材１２は、更にプレス機械にかけて曲げ成形加工及び上記したレンガ積みの目地に相当する部分１３及びレンガの風化状態（欠けなど）を表現する模様部分２０を細溝状に凹ませる絞り加工をプレス成形加工として行い、更に図６に示す樹脂製の突起片６を取り付ける組み立て工程を経て縦目地化粧材２の製作を完成する。
【００２１】
上記最終的なプレス成形加工の金型は、レンガ積みの目地に相当する部分１３及びレンガの風化状態を表現する模様部分２０を細溝状に凹ませる絞り加工を行う手段として、先のスクリーン塗装法による複数色の重ね塗り塗装の結果を写真撮影し、その写真に現れたレンガ積みの目地に相当する部分１３及びレンガの風化状態を表現する模様部分２０をエッチング加工法により模写した原版（マザーとも言う）を作り、この原版に倣ってプレス成形金型の凹凸を例えば数値制御（ＮＣ）工作機械で加工することにより高精度なプレス成形金型を製作する。こうして製作したプレス成形金型により上記ブランク抜き材１２のプレス成形加工と絞り加工を行う（請求項４記載の発明）。
かくしてレンガ積みの目地に相当する部分１３のみならず、レンガの風化状態を表現する模様部分２０も細溝状に凹ませる絞り加工を行った縦目地化粧材２を製造することができる。勿論、この縦目地化粧材２は立体感に溢れた意匠を呈し、同様にレンガ積みの目地に相当する部分及びレンガの風化状態を表現する模様部分を細溝状に凹ませる絞り加工を行った乾式壁部材の表面の意匠と一致して、風化したレンガの風合いと立体感に溢れた意匠が連続する乾式外壁の施工を可能にする。
【実施例２】
【００２２】
次に、図２Ａ〜Ｄは、アンティーク調コーナー目地化粧材３の主要な製造工程を順に示している。その製造工程は、およそ上記縦目地化粧材２の製造工程と類似している。
図２Ａは、原材料である、一例として濃いグレー色にコーティングされたプレコート鋼板コイル１０（又はプレコートアルミ合金板コイルである場合を含む。以下同じ。）を示し、同Ｂは前記鋼板コイル１０からコーナー目地化粧材３の製作に所望される大きさ、形状に裁断した平板素材１５を示す。
【００２３】
図２Ｃは、上記平板素材１５をプレス機械にかけてブランク抜き（コーナー目地化粧材３の展開状態への成形加工）を行った段階を示す。
図２Ｄは、上記ブランク抜き材１６の表面側に、スクリーン塗装法による複数色の重ね塗り塗装を行った段階を示す。具体的には、上記濃いグレー色（これが地色）のブランク抜き材１６の表面に、レンガ積みの目地に相当する部分１７及びレンガの風化状態（欠けなど）を表現する模様部分２０を除き、例えばブラウン色のスクリーン塗装を広範囲に行う。その上に、古びたレンガ色を表すベージュ色をスクリーン塗装を、前記ブラウン色の塗装面よりも一回り小さな範囲の柄模様１８を最終塗装として行う。従って、このベージュ色の塗装部分の周辺部には、前工程で塗装したブラウン色の塗装部分がレンガ積みの目地に相当する部分１７及びレンガの風化状態を表現する模様部分２０を色違い模様として細幅の帯状又は線状に出現させる（露出する）。のみならず、ベージュ色の柄模様１８の範囲内（内部）にも、古びたレンガ（欠けなど）を思わせる筋状の色違い模様（いわゆる窯変模様）を、ブラウン色の塗装が露出する形に出現させる。
【００２４】
上記の二段階塗装を前提として、ベージュ色による最終のスクリーン塗装においては、印刷版を構成するスキージースクリーンの印刷面に、所定部位の網目を潰す網点マスク法を行った塗装を行い、先行のブラウン色の塗装を細かな散点状に露出させ風化した風合いのアンティーク調を表現する。
【００２５】
スキージースクリーンの印刷面について行う所定部位の網目を潰す網点マスク法は、やはり先行してロール塗装法によりつや消し材を用いてアンティーク調に塗装した乾式壁部材の写真撮影を行い、同写真に現れたつや消し材の白黒判定を基にスキージースクリーンの印刷面をエッチング加工した版を用いて、スクリーン印刷を行う（請求項３記載の発明）。
【００２６】
その後、上記の塗装を行ったブランク抜き材１６は、更にプレス機械にかけて曲げ成形の加工、及び上記したレンガ積みの目地に相当する部分１７及びレンガの風化状態（欠けなど）を表現する模様部分２０を細溝状に凹ませる絞り加工をプレス成形加工として行い、図７に示す樹脂製の突起片８を取り付ける組み立て工程を経てコーナー目地化粧材３の製作を完成する。
【００２７】
上記プレス成形加工の金型は、やはりレンガ積みの目地に相当する部分１７及びレンガの風化状態を表現する模様部分２０を細溝状に凹ませる絞り加工を行う手段として、先のスクリーン塗装法による複数色の重ね塗り塗装の結果を写真撮影し、その写真に現れたレンガ積みの目地に相当する部分１７及びレンガの風化状態を表現する模様部分２０をエッチング加工法により模写した原版（マザー）を作り、この原版に倣ってプレス成形金型の凹凸を例えば数値制御（ＮＣ）工作機械で加工することにより高精度なプレス成形金型を製作する。こうして製作したプレス成形金型により上記ブランク抜き材１６のプレス成形加工と絞り加工を行う（請求項４記載の発明）。
かくしてレンガ積みの目地に相当する部分１７のみならず、レンガの風化状態を表現する模様部分２０も細溝状に凹ませる絞り加工を行ったコーナー目地化粧材３は立体感に溢れた意匠を呈し、同様にレンガ積みの目地に相当する部分及びレンガの風化状態を表現する模様部分を細溝状に凹ませる絞り加工を行った乾式壁部材の表面の意匠と一致して、風化したレンガの風合いと立体感に溢れた意匠が連続する乾式外壁の施工を可能にする。
【００２８】
以上の実施形態は、縦目地化粧材２及びコーナー目地化粧材３についてのみ説明したが、この限りではない。これらと同様に小物、細幅材であるが故にロール塗装法の実施に適さず、スクリーン塗装法を実施するほかなく、風化した風合いのアンティーク調の塗装が必要な部材の製作に、好適に実施することができる。レンガ積みの目地に相当する部分１７だけでなくレンガの風化状態を表現する模様部分２０までも細溝状に凹ませる絞り加工を行うか否かは設計の自由である。
【図面の簡単な説明】
【００２９】
【図１】Ａ〜Ｄは本発明に係るアンティーク調縦目地化粧材の枢要な製造工程の説明図である。
【図２】Ａ〜Ｄは本発明に係るアンティーク調コーナー目地化粧材の枢要な製造工程の説明図である。
【図３】乾式壁部材を用いた建物外壁面の一部を示す斜視図である。
【図４】アンティーク調縦目地化粧材の一例を示した正面図である。
【図５】アンティーク調コーナー目地化粧材の一例を示した正面図である。
【図６】縦目地化粧材の取り付け構造を示す水平断面図である。
【図７】コーナー目地化粧材の取り付け構造を示す水平断面図である。
【符号の説明】
【００３０】
１    乾式壁部材
２    縦目地化粧材
３    コーナー目地化粧材
１０  鋼板コイル
１１  平板素材
１５  平板素材
１２  ブランク抜き部材
１６  ブランク抜き部材
２０  レンガの風化状態を表現する模様部分
【図１】
2005023778.tif 000003
【図２】
2005023778.tif 000004
【図３】
2005023778.tif 000005
【図４】
2005023778.tif 000006
【図５】
2005023778.tif 000007
【図６】
2005023778.tif 000008
【図７】
2005023778.tif 000009